(57)【要約】【課題】  送り配線に別途の電線を必要とせず、かつ設置の向きに新たな制限が生じない照明器具を提供する。【解決手段】  器具本体２に保持された点灯装置において交流電源に接続される給電用の端子には、各極性について２本ずつの電線４が接続され、器具本体２から長手方向の互いに異なる側へ引き出されている。互いに同じ側に引き出された２本の電線４のうち、一方の先端にはレセプタクル３１が設けられ、他方の先端にはプラグ３２が設けられている。プラグ３２とレセプタクル３１とは、互いに着脱自在に結合してそれぞれが設けられた電線４同士を電気的に接続するコネクタ３を構成する。器具本体２の同じ側に設けられたレセプタクル３１とプラグ３２との組のうち、一方は交流電源からの受電に用いられ、他方は送り配線による他の照明器具１への給電用に用いられる。【選択図】図１
2008300242.tif 000002
【特許請求の範囲】
【請求項１】
複数個を直線状に並べて用いられる照明器具であって、
交流電源から電力を供給されて光源を点灯させる点灯装置と、上記並べられる方向に長い形状であって点灯装置を保持するとともに光源が取り付けられる器具本体とを備え、
点灯装置において交流電源に接続される給電用の端子には各極性について２本ずつの電線が接続されて器具本体から長手方向の互いに異なる側へ引き出されており、
互いに同じ側に引き出された２本の電線の一方の先端にはプラグが設けられ、他方の先端にはレセプタクルが設けられ、
プラグとレセプタクルとは、互いに着脱自在に結合してそれぞれが設けられた電線同士を電気的に接続するコネクタを構成することを特徴とする照明器具。
【発明の詳細な説明】
【技術分野】
【０００１】
本発明は、照明器具に関するものである。
【背景技術】
【０００２】
従来から、複数個を直線状に並べて用いられる照明器具が提供されている（例えば、特許文献１参照）。
【０００３】
この種の照明器具においては、直線状に並べられた照明器具のうち、一端に位置する照明器具のみが電源に直接接続され、残りの照明器具は隣接する他の照明器具から送り配線によって電力を供給される。
【０００４】
互いに隣接する照明器具間での電力の授受のために、図４に示すように、光源Ｌａや光源Ｌａを点灯させる点灯装置（図示せず）を収納した器具本体２の長手方向の両端に、それぞれレセプタクル５１を設けた照明器具１がある。レセプタクル５１はプラグ５２に着脱自在に結合してコネクタ５を構成するものである。レセプタクル５１とプラグ５２とはそれぞれ１本ずつの電線が電気的に接続される２個の接触子（図示せず）を有する。矢印Ａ３で示すようにレセプタクル５１とプラグ５２とが互いに結合した（コネクタ５が接続された）ときにはレセプタクル５１とプラグ５２との接触子同士が一対一に接触導通し、ここにおいてレセプタクル５１に接続された一対の電線とプラグ５２に接続された一対の電線とは一対一に電気的に接続される。各レセプタクル５１において、各接触子は点灯装置の給電用の端子であって互いに異なる極性の端子に電気的に接続されている。
【０００５】
上記従来例によれば、一方のレセプタクル５１を交流電源からの給電用に用い、他方のレセプタクル５１を送り配線による他の照明器具１への給電用に用いることができる。
【０００６】
しかし、図４の構成では、照明器具１間の接続箇所毎に、両端にそれぞれプラグ３２が設けられた一対の電線４が別途に必要となる。
【０００７】
そこで、図５に示すように、器具本体２の長手方向の両端部において、それぞれ点灯装置に接続されて器具本体２外に引き出し可能な電線４を一対ずつ設け、器具本体２の長手方向の一端側の電線４の対にはレセプタクル５１を設けるとともに、他方側の電線４の対にはプラグ５２を設けたものがある。図５の例では対をなす２本の電線４をチューブ４０で束ねている。この構成によれば、器具本体２から電線４を引き出して矢印Ａ４で示すようにコネクタ５を接続することができるから、別途の電線４を用いることなく、照明器具１間を接続することができる。
【特許文献１】特開２００４−１４６２１３号公報
【発明の開示】
【発明が解決しようとする課題】
【０００８】
しかし、レセプタクル５１同士やプラグ５２同士では接続することができないから、図５の照明器具１では、照明器具１間でコネクタ５の接続を可能とするために、互いに隣接する照明器具１間で、レセプタクル５１が設けられた側の端部とプラグ５２が設けられた側の端部とを向き合わせなければならないというように、設置の向きに制限が生じてしまっていた。
【０００９】
本発明は、上記事由に鑑みて為されたものであり、その目的は、送り配線に別途の電線を必要とせず、かつ設置の向きに新たな制限が生じない照明器具を提供することにある。
【課題を解決するための手段】
【００１０】
本発明は、複数個を直線状に並べて用いられる照明器具であって、交流電源から電力を供給されて光源を点灯させる点灯装置と、上記並べられる方向に長い形状であって点灯装置を保持するとともに光源が取り付けられる器具本体とを備え、点灯装置において交流電源に接続される給電用の端子には各極性について２本ずつの電線が接続されて器具本体から長手方向の互いに異なる側へ引き出されており、互いに同じ側に引き出された２本の電線の一方の先端にはプラグが設けられ、他方の先端にはレセプタクルが設けられ、プラグとレセプタクルとは、互いに着脱自在に結合してそれぞれが設けられた電線同士を電気的に接続するコネクタを構成することを特徴とする。
【発明の効果】
【００１１】
本発明によれば、２個の照明器具を互いに接続するに当っては、一方の照明器具のレセプタクルに他方の照明器具のプラグを接続するとともに、他方の照明器具のレセプタクルに一方の照明器具のプラグを接続すればよいから、別途の電線が不要である。また、器具本体の長手方向のどちら側にもプラグとレセプタクルとの組が設けられていることになるから、設置の向きには新たな制限は生じない。
【発明を実施するための最良の形態】
【００１２】
以下、本発明を実施するための最良の形態について、図面を参照しながら説明する。
【００１３】
本実施形態は、図１及び図２に示すように、複数個を直線状に並べて用いられる照明器具１であって、交流電源（図示せず）から電力を供給されて光源（図示せず）を点灯させる点灯装置（図示せず）と、上記並べられる方向（図２における左右方向）に長い形状であって点灯装置を保持するとともに光源が取り付けられる器具本体２とを備える。光源としては例えば蛍光灯や発光ダイオードを用いることができる。点灯装置としては、光源として蛍光灯を用いる場合には例えば周知の電子安定器を用いることができ、光源として発光ダイオードを用いる場合には例えば周知の整流平滑回路及び降圧回路を用いることができる。上記構成はいずれも周知技術で実現可能であるので、詳細な説明並びに図示は省略する。
【００１４】
また、点灯装置において、交流電源に接続される給電用の端子には、各極性について２本ずつの電線４が接続されて器具本体２から長手方向の互いに異なる側へ引き出されている。
【００１５】
つまり、器具本体２の長手方向の両端にそれぞれ２本ずつの電線４が引き出されているのであり、互いに同じ側に引き出された上記２本の電線４は点灯装置の互いに異なる極性の端子に接続されている。そして、図３に示すように、互いに同じ側に引き出された２本の電線４の一方の先端にはレセプタクル３１が設けられ、他方の先端にはプラグ３２が設けられている。レセプタクル３１とプラグ３２とは、互いに着脱自在に結合してそれぞれが設けられた電線４同士を電気的に接続するコネクタ３を構成する。つまり、本実施形態におけるコネクタ３は、従来例のコネクタ５のように一対の電線４の接続を一括して行うもの（２芯）ではなく、電線４を１本ずつ接続するもの（１芯）である。同じ側に引き出される電線４同士は長さ方向での中央部においてチューブ４０によって束ねられている。
【００１６】
一方側に引き出された２本の電線４は、直接又は他の照明器具１を介して交流電源に接続され、他方側に引き出された２本の電線４は他の照明器具１へのいわゆる送り配線による給電に用いられる。
【００１７】
上記構成によれば、図１の矢印Ａ１で示すようにコネクタ３を接続することにより、照明器具１間を電気的に接続する送り配線が可能であり、図４の従来例のような別途の電線４が不要である。互いに接続された複数の照明器具１のそれぞれに電源を供給するには、一端が交流電源の互いに異なる極性に接続された一組の電線４の一方に設けられたレセプタクル３１と他方に設けられたプラグ３２とを、それぞれ図２の矢印Ａ２で示すように端の照明器具１に接続すればよい。また、器具本体２の長手方向のどちら側にも、レセプタクル３１とプラグ３２とが１個ずつ設けられていることにより、図５の従来例と違って設置の向きに制限は加わらない。
【図面の簡単な説明】
【００１８】
【図１】本発明の実施形態を示す、一部破断した正面図である。
【図２】同上の使用形態を示す説明図である。
【図３】同上の要部を示す正面図である。
【図４】従来例を示す正面図である。
【図５】別の従来例を示す正面図である。
【符号の説明】
【００１９】
１  照明器具
２  器具本体
３  コネクタ
４  電線
３１  レセプタクル
３２  プラグ
【図１】
2008300242.tif 000003
【図２】
2008300242.tif 000004
【図３】
2008300242.tif 000005
【図４】
2008300242.tif 000006
【図５】
2008300242.tif 000007